(57)【要約】【課題】デジタル放送が複数の伝送路で配信される場合において、繰り返しデータを効率的に配信することが可能となるデジタル放送再送信装置、デジタル放送受信装置、並びにこれらを含んだデジタル放送送受信システムを提供する。【解決手段】デジタル放送がデジタル放送伝送路とＣＡＴＶ伝送路とにおいて配信されている場合に、ＣＡＴＶ局のデジタル放送再送信装置により放送信号を一定時間遅延させて送信することにより、デジタル放送受信装置が繰り返しデータを取得するのに要する時間を短縮する。【選択図】  図１
2004260758.tif 000002
【特許請求の範囲】
【請求項１】
一の伝送路から受信した放送信号を他の伝送路に再送信するデジタル放送再送信装置であって、前記受信した放送信号を一定時間遅延させて再送信する遅延部を備えたデジタル放送再送信装置。
【請求項２】
一の伝送路から受信した放送信号を他の伝送路に再送信するデジタル放送再送信装置であって、
前記受信した放送信号から繰り返しデータを抽出する繰り返しデータ抽出部と、前記抽出した繰り返しデータを遅延させる遅延部と、
前記遅延させた繰り返しデータを放送信号に再多重する繰り返しデータ書き換え処理部とを備えたデジタル放送再送信装置。
【請求項３】
前記受信した放送信号から繰り返しデータの配信周期に関するデータを抽出する配信周期抽出部と、
前記抽出した配信周期に関するデータに基づいて、前記繰り返しデータの遅延量を算出する遅延量算出部と、をさらに備えており、
前記遅延部は、前記算出した遅延量分、前記抽出した繰り返しデータを遅延させることを特徴とする請求項２に記載のデジタル放送再送信装置。
【請求項４】
一の伝送路から受信した放送信号を他の伝送路に再送信するデジタル放送再送信装置であって、
前記受信した放送信号から繰り返しデータを抽出する繰り返しデータ抽出部と、前記抽出した繰り返しデータの複数の断片に対して、配信順序を入れ替える配信順序変更部と、
前記配信順序を入れ替えた繰り返しデータを放送信号に再多重する繰り返しデータ書き換え処理部とを備えたデジタル放送再送信装置。
【請求項５】
前記受信した放送信号から繰り返しデータの配信周期に関するデータを抽出する配信周期抽出部と、
前記抽出した配信周期に関するデータに基づいて、前記繰り返しデータの配信時刻を決定する配信時刻決定部と、をさらに備えており、
前記繰り返しデータ書き換え処理部は、前記配信順序を入れ替えた繰り返しデータを、前記決定された配信時刻に、放送信号に再多重することを特徴とする請求項４に記載のデジタル放送再送信装置。
【請求項６】
前記配信順序変更部は、前記繰り返しデータの一周期分の断片を蓄積するとともに、各断片を受信した順序と逆順に入れ替えることを特徴とする請求項４又は５に記載のデジタル放送再送信装置。
【請求項７】
請求項１から３のいずれか１項に記載のデジタル放送再送信装置を２以上含んでおり、
前記各デジタル放送再送信装置における各遅延部は、それぞれ異なる時間分、放送信号又は繰り返しデータを遅延させることを特徴とするデジタル放送再送信装置。
【請求項８】
請求項４から６のいずれか１項に記載のデジタル放送再送信装置を２以上含んでおり、
前記各デジタル放送再送信装置における各順序変更部は、繰り返しデータをそれぞれ異なる順序に入れ替えることを特徴とするデジタル放送再送信装置。
【請求項９】
複数の伝送路から同一の放送を受信可能なデジタル放送受信装置であって、
前記複数の伝送路のそれぞれから放送を受信する複数の受信部と、
前記各受信部から前記放送に含まれる繰り返しデータを取得する繰り返しデータ処理部と、を備えており、
２以上の受信部において同一の放送を受信するときには、前記繰り返しデータ処理部により前記２以上の受信部から取得したそれぞれの繰り返しデータを統合して利用することができることを特徴とするデジタル放送受信装置。
【請求項１０】
少なくとも１つの請求項１から８のいずれか１項に記載のデジタル放送再送信装置と、
少なくとも１つの請求項９に記載のデジタル放送受信装置と、を含んで構成され、
前記デジタル放送再送信装置から再送信される伝送路を含む複数の伝送路において、同一の放送を配信することを特徴とするデジタル放送送受信システム。
【発明の詳細な説明】
【０００１】
【発明の属する技術分野】
本発明は、ＢＳデジタル、地上デジタル放送等の送受信システムに関し、特に、同一のサービスを複数の伝送路で提供するデジタル放送における受信装置、再送信装置及びこれらを含んだ送受信システムに関するものである。
【０００２】
【従来の技術】
ＢＳデジタル、地上デジタル等のデジタル放送では、社団法人電波産業会（以下、「ＡＲＩＢ」とする）が策定する伝送方式、伝送内容等の標準規格に従ってサービスが提供されている。
【０００３】
一方、近年ＣＡＴＶが一般に普及しており、デジタル放送により放送されるサービスをＣＡＴＶにおいても放送することが行われている。この場合、ＣＡＴＶ局においてデジタル放送を一度受信した後、再送信装置によりＣＡＴＶ伝送路において放送可能な伝送方式に変換して、ＣＡＴＶ契約者の受信装置に再送信している。このように、ＣＡＴＶ局において受信したデジタル放送をＣＡＴＶ伝送路へ再送信するための標準規格は、社団法人日本ＣＡＴＶ技術協会により策定されている。
【０００４】
ここで、代表的な例として、ＢＳデジタル放送をＣＡＴＶ局において再送信する態様について説明する。
ＢＳデジタル放送では、映像ストリーム及び音声ストリームを送信するテレビ型サービスや、音声ストリームのみを送信する音声型放送サービスに加えて、文字、図形、画像、音声、制御情報などのデータを組み合わせたデータストリームを送信するデータ型サービスが提供されている。
【０００５】
サービスは、「委託放送事業者が編成する、スケジュールの一環として放送可能な番組の連続」（ＡＲＩＢ  ＳＴＤ−Ｂ１０  ３．１項から引用）で定義され、トランスポートストリームとして送出される。このトランスポートストリーム（Ｔｒａｎｓｐｏｒｔ  Ｓｔｒｅａｍ）は、ＭＰＥＧシステム規格（ＩＳＯ／ＩＥＣ  １３８１８−１）により規定されている（以下、「ＴＳ」とする）。
【０００６】
また、各ＴＳには、番組に関する情報等、ユーザの利便性のための情報を含んだサービスインフォメーション（Ｓｅｒｖｉｃｅ  Ｉｎｆｏｒｍａｔｉｏｎ：以下、「ＳＩ」とする）が多重されるようになっている。このＳＩについては、ＡＲＩＢ  ＳＴＤ−Ｂ１５により規定されている。
【０００７】
ＳＩやＡＲＩＢ  ＳＴＤ−Ｂ２４に規定されたデータカルーセル伝送方式で伝送されるデータ型サービス、及びデジタル放送受信装置のソフトウェア／データの更新を行うダウンロードデータは、各デジタル放送受信装置が必要なときにアクセスできるように、繰り返し配信されている。以下では、これらの繰り返し配信されているデータを「繰り返しデータ」と呼ぶことにする。
【０００８】
繰り返しデータの例として、ＳＩに含まれるイベントインフォメーションテーブル（Ｅｖｅｎｔ  Ｉｎｆｏｒｍａｔｉｏｎ  Ｔａｂｌｅ：以下「ＥＩＴ」とする）について説明する。ＥＩＴは、ＢＳデジタル放送で運用されるサービスに含まれるイベントに関する情報を記述したテーブルである。このＥＩＴを受信したデジタル放送受信装置は、当該ＥＩＴに含まれる情報に基づいて、例えば、電子番組ガイド（Ｅｌｅｃｔｒｏｎｉｃ  Ｐｒｏｇｒａｍｍｉｎｇ  Ｇｕｉｄｅ：以下、「ＥＰＧ」とする）を構成し、画面に表示することができるようになっている。視聴者はこのＥＰＧを参照しながら番組選局を行うことができる。
【０００９】
ＥＩＴは、現在のイベント及び次に送出されるイベントの情報を記述したＥＩＴ［ｐ／ｆ］と、最大３２日先までのイベントの情報を記述したＥＩＴ［ｓｃｈｅｄｕｌｅ］とから構成されており、非常にデータ量が多い。ＢＳデジタル放送におけるＥＩＴ［ｓｃｈｅｄｕｌｅ］は、デジタル放送受信装置内に蓄積されて利用されることを前提としているため、ＥＩＴ［ｐ／ｆ］に比べて非常に長い再送周期で配信されている。図１８は、ＢＳデジタル放送において、ＳＩに含めて配信されているＥＩＴ［ｐ／ｆ］及びＥＩＴ［ｓｃｈｅｄｕｌｅ］の再送周期の規定を示す表である。
【００１０】
図１８において、ＥＩＴ［ｓｃｈｅｄｕｌｅ］については、蓄積を前提とした長い再送周期の基本周期グループと、デジタル放送受信装置の立ち上げ時など蓄積されていない状態でも、現時刻に近い限られた情報を素早く取得するための比較的短い再送周期の拡張周期グループとが規定されている。
【００１１】
また、ＥＩＴ［ｓｃｈｅｄｕｌｅ］については、テレビ型、音声型、データ型サービスで、別々の再送周期を規定している。これらの分類をメディアタイプといい、このメディアタイプを識別するための情報は、ネットワークインフォメーションテーブル（Ｎｅｔｗｏｒｋ  Ｉｎｆｏｒｍａｔｉｏｎ  Ｔａｂｌｅ：以下、「ＮＩＴ」とする）に記述されて配信されている。ＮＩＴは、周波数などの伝送路情報と編成チャンネルとを関連付ける情報を含んだテーブルであり、ＳＩに含めて配信されている。また、ＥＩＴとＮＩＴとは、個々のサービスを識別するための識別子ｓｅｒｖｉｃｅ＿ｉｄにより関係づけられている。
【００１２】
図１８に示すＥＩＴ［ｐ／ｆ  ａｃｔｕａｌ］とは、そのＴＳ（ａｃｔｕａｌ  ＴＳ）内で定義されているサービスの番組情報に関するものであり、ＥＩＴ［ｐ／ｆ  ｏｔｈｅｒ］とは、別のＴＳ内で定義されているサービスの番組情報に関するものである。ユーザは現在視聴中のサービスに関するイベント情報へのアクセス頻度が高いことが予想されるため、ＥＩＴ［ｐ／ｆ  ａｃｔｕａｌ］には、ＥＩＴ［ｐ／ｆ  ｏｔｈｅｒ］よりも短い再送周期を設定可能としている。これらの再送周期は、同じくＳＩに含まれるブロードキャスタインフォメーションテーブル（Ｂｒｏａｄｃａｓｔｅｒ  Ｉｎｆｏｒｍａｔｉｏｎ  Ｔａｂｌｅ：以下、「ＢＩＴ」とする）というテーブルに記述されて配信されている。
上記ＮＩＴ及びＢＩＴも、ＥＩＴ同様、繰り返しデータである。
【００１３】
ＳＩに含めて配信されるこれらのテーブルは、ＭＰＥＧトランスポートストリームパケット（以下、「ＴＳパケット」とする）にマッピングするために使用されるセクションというシンタックス構造で記述されている。図１９は、ＢＳデジタル放送において用いられるＴＳパケット及びセクションの構成例を概略的に示す図である。
【００１４】
図１９に示す例では、１ＴＳにおける３時間分のＥＩＴは、最大８セクションを使って記述されるものとする。ＥＩＴの１セクションは、最大４Ｋｂｙｔｅのサイズであり、複数のＴＳパケットに分割されて送信される。ＴＳパケットのパケットサイズはヘッダを入れて１８８ｂｙｔｅである。
【００１５】
図１９において、各セクションは、先頭領域にセクションヘッダを含んでおり、セクションヘッダには、セクションに含まれるデータの種類を識別するためのｔａｂｌｅ＿ｉｄ及びｓｅｃｔｉｏｎ＿ｎｕｍｂｅｒが含まれている。
【００１６】
セクションヘッダに含まれているｔａｂｌｅ＿ｉｄは、当該セクションが属するテーブルを示すものであり、例えば、ＥＩＴの場合は０ｘ４Ｅから０ｘ６Ｆ、ＢＩＴの場合は０ｘＣ４となる。セクションヘッダに含まれているｓｅｃｔｉｏｎ＿ｎｕｍｂｅｒは、セクションに割り当てられた固有の番号であり、デコーダはこのｓｅｃｔｉｏｎ＿ｎｕｍｂｅｒに基づいて特定のテーブルに属する複数のセクションを元の順序に再配置することができる。
【００１７】
図１９において、各ＴＳパケットもまた、先頭領域にＭＰＥＧヘッダを含んでいる。ＭＰＥＧヘッダには当該ＴＳパケットを識別するためのパケット識別子（Ｐａｃｋｅｔ  ＩＤ：以下、「ＰＩＤ」とする）が含まれている。ＰＩＤは、例えば、ＥＩＴの場合は０ｘ００１２で、ＢＩＴの場合は０ｘ００２４である。
【００１８】
また、１つのセクションが複数のＴＳパケットへ分割される場合には、セクションの先頭部分を含むＴＳパケットにおいて、ＭＰＥＧヘッダの後にポインタフィールドを含めるようにしている。このポインタフィールドにより、当該ＴＳパケットにセクションの先頭部分が含まれていることがわかる。尚、１つのセクションを分割した部分を含む複数のＴＳパケットは、１つのＰＩＤ値内で連続して送信することにより、再びセクションに復元する際にどのセクションのデータなのかを識別できるようにしている。
【００１９】
一方で、ＢＳデジタル放送の再送信規格は、社団法人日本ＣＡＴＶ技術協会標準規格（以下、「ＪＣＴＥＡ」とする）により、ＳＴＤ−００２  デジタル有線テレビジョン放送  多重化装置として規格化されている。図２０は、この再送信規格による再送信の方式を模式的に示す図である。
【００２０】
図２０に示すように、ＢＳデジタル放送では、１中継器あたり帯域幅３４．５ＭＨｚ、変調方式ＴＣ８ＰＳＫ、伝送容量約５２Ｍｂｐｓであり、これをデジタルケーブルテレビの帯域幅６ＭＨｚ、変調方式６４ＱＡＭ、伝送容量約２９Ｍｂｐｓのチャンネル２つに分割してＣＡＴＶ伝送路に再送信する。図２０では、１中継器で送信されるＢＳデジタル放送信号として、ＴＳ１、ＴＳ２、ＴＳ３、ＴＳ４、ＴＳ５の５つのＴＳが伝送されている。
【００２１】
図２１は、ＣＡＴＶ局においてＢＳデジタル放送信号をＣＡＴＶ伝送路に再送信するための変換を行う再送信装置の構成を概略的に示す図である。
図２１において、再送信装置は、ＢＳデジタル伝送路２１５０からＢＳデジタル放送信号を受信し、ＢＳ局用デジタルチューナ２１０１、２１１１、２１２１、２１３１及び２１４１において、受信信号からＴＳ２、ＴＳ５、ＴＳ１、ＴＳ３及びＴＳ４をそれぞれ分離し、ＮＩＴ書き換え処理部２１０２、２１１２、２１２２、２１３２及び２１４２にそれぞれ出力する。
【００２２】
ＮＩＴ書き換え処理部では、各ＴＳに含まれているＮＩＴに対して、ＣＡＴＶ伝送路への再送信用に書き換え処理を行った後、各ＴＳを複数ＴＳ多重化部２１０３及び２１２３に出力する。上記したようにＮＩＴには、周波数などの伝送路情報と編成チャンネルとを関連付ける情報が含まれており、この周波数等の情報をＣＡＴＶ伝送路への再送信用の所定の情報に書き換えるものとする。ここでは、ＮＩＴ書き換え処理部２１０２及び２１１２からの出力信号を複数ＴＳ多重化部２１０３に入力し、ＮＩＴ書き換え処理部２１２２、２１３２及び２１４２からの出力信号を複数ＴＳ多重化部２１２３に入力するように構成している。
【００２３】
各複数ＴＳ多重化部２１０３及び２１２３では、受信した複数のＴＳを再多重し、それぞれ６４ＱＡＭ変調部２１０４及び２１２４に出力する。各６４ＱＡＭ変調部では、再多重したＴＳを６４ＱＡＭ変調して、出力混合器２１０５に出力する。出力混合器２１０５は、変調された各ＴＳをＮＩＴに記述した周波数に変換した後、各ＴＳを混合（ミキシング）してＣＡＴＶ伝送路２１６０に送出する。
【００２４】
このようにしてＣＡＴＶ伝送路により再送信されたＢＳデジタル放送を、ユーザはＣＡＴＶ受信に対応したデジタル放送受信装置において受信し視聴することができる。ところで、近年では、放送の標準規格化、受信装置内の回路の高集積化などにより、複数の伝送路からの放送を受信できる受信装置装置が開発されつつある。例えば、１台の受信装置において、ＢＳデジタル放送を直接受信可能であるとともに、ＣＡＴＶ伝送路により再送信されるＢＳデジタル放送をも受信可能である場合が考えられる。
【００２５】
【特許文献１】
特開平１１−２７５９３号公報
【特許文献２】
特開２０００−１３６９６号公報
【００２６】
【発明が解決しようとする課題】
しかしながら、上述のように、デジタル放送では多数の繰り返しデータが送信されているが、伝送容量に制限があるので、利用頻度の低い繰り返しデータは長い周期で再送信するようにしている。このため、デジタル放送受信装置において、送信されている繰り返しデータを全て取得するには時間がかかってしまう。
【００２７】
図１８に示したＥＩＴの再送周期の例では、すべてのＴＳ内で定義されているサービスの番組情報を受信装置において蓄積するためには、最大３６０秒かかってしまうことになる。これではユーザが番組情報等を利用しようとしても、待ち時間が長くなってしまい、利便性が妨げられてしまう。
【００２８】
また、上述したように、１つのデジタル放送サービスが、複数の伝送路で配信されている場合があるが、現在のところ、これらはそれぞれ個別の受信装置により受信する、個別のサービスとして扱われており、例えば、両方を受信可能な受信装置があったとしても、複数の伝送路からの各配信を効率的に利用するようなシステムは考えられていない。
【００２９】
そこで本発明は、上記のような実情に鑑み、デジタル放送が複数の伝送路で配信される場合において、繰り返しデータを効率的に配信することが可能となるデジタル放送再送信装置、デジタル放送受信装置、並びにこれらを含んだデジタル放送送受信システムを提供しようとするものである。
【００３０】
【課題を解決するための手段】
上記解決課題に鑑みて鋭意研究の結果、本発明者は、同一のデジタル放送サービスが複数の伝送路を経由して配信されている場合において、一部の伝送路を経由する放送信号をデジタル放送再送信装置などにより一定時間遅延させて送信することにより、デジタル放送受信装置が繰り返しデータを取得するのに要する時間を短縮することに想到した。
【００３１】
例えば、ＢＳデジタル放送がＢＳデジタル伝送路とＣＡＴＶ伝送路とにおいて配信されている場合には、ＣＡＴＶ局のデジタル放送再送信装置において、ＢＳデジタル放送信号を一定時間遅延させてＣＡＴＶ伝送路に再送信することができる。
【００３２】
本発明は、一の伝送路から受信した放送信号を他の伝送路に再送信するデジタル放送再送信装置であって、前記受信した放送信号を一定時間遅延させて再送信する遅延部を備えたデジタル放送再送信装置を提供するものである。
【００３３】
これにより、放送信号が遅延された伝送路と、他の伝送路とを経由して配信される同一のデジタル放送サービスを、デジタル放送受信機において受信することにより、それぞれ位相の異なる繰り返しデータを効率よく受信することが可能となる。
【００３４】
しかしながら、上記のデジタル放送再送信装置では、全ての受信信号を遅延させるため、ビデオ・オーディオデータなども遅延処理されてしまい、生放送などのリアルタイム性を要求する放送に適用するには問題がある。
【００３５】
そこで、本発明は、また、一の伝送路から受信した放送信号を他の伝送路に再送信するデジタル放送再送信装置であって、前記受信した放送信号から繰り返しデータを抽出する繰り返しデータ抽出部と、前記抽出した繰り返しデータを遅延させる遅延部と、前記遅延させた繰り返しデータを放送信号に再多重する繰り返しデータ書き換え処理部とを備えたデジタル放送再送信装置を提供する。
【００３６】
これにより、遅延処理が必要な繰り返しデータのみを抽出し、これに所要の遅延処理を行った後、放送信号に再多重することができるので、ビデオ・オーディオデータなどには遅延処理の影響が及ぶことはない。
【００３７】
しかしながら、上記のデジタル放送再送信装置では、遅延部において繰り返しデータをどの程度遅延すれば最適な効果を得ることができるかは分からない。
そこで、上記本発明のデジタル放送再送信装置において、前記受信した放送信号から繰り返しデータの配信周期に関するデータを抽出する配信周期抽出部と、前記抽出した配信周期に関するデータに基づいて、前記繰り返しデータの遅延量を算出する遅延量算出部と、をさらに備えることにより、前記遅延部は、前記算出した遅延量分、前記抽出した繰り返しデータを遅延させるよう構成する。
これにより、放送信号に含まれる繰り返しデータの配信周期データに基づいて、繰り返しデータの最適な遅延量を決定し、遅延部ではこの遅延量分繰り返しデータを遅延させることができる。
【００３８】
本発明は、また、一の伝送路から受信した放送信号を他の伝送路に再送信するデジタル放送再送信装置であって、前記受信した放送信号から繰り返しデータを抽出する繰り返しデータ抽出部と、前記抽出した繰り返しデータの複数の断片に対して、配信順序を入れ替える配信順序変更部と、前記配信順序を入れ替えた繰り返しデータを放送信号に再多重する繰り返しデータ書き換え処理部とを備えたデジタル放送再送信装置を提供するものである。
【００３９】
上記のデジタル放送再送信装置によれば、ＴＳパケットとして配信されている繰り返しデータに対して、パケット単位で配信順序を入れ替えることにより、デジタル放送受信装置において異なる位相の繰り返しデータを受信させることができる。
【００４０】
しかしながら、上記のデジタル放送再送信装置では、各パケットをいつ配信すればよいのかが分からない。
そこで、上記本発明のデジタル放送再送信装置において、前記受信した放送信号から繰り返しデータの配信周期に関するデータを抽出する配信周期抽出部と、前記抽出した配信周期に関するデータに基づいて、前記繰り返しデータの配信時刻を決定する配信時刻決定部と、をさらに備えることにより、前記繰り返しデータ書き換え処理部は、前記配信順序を入れ替えた繰り返しデータを、前記決定された配信時刻に、放送信号に再多重するよう構成する。
これにより、抽出した繰り返しデータの各パケットについて、最適な配信時刻を決定し、その時刻に各パケットを配信することができる。
【００４１】
さらに、上記本発明のデジタル放送再送信装置において、前記配信順序変更部は、前記繰り返しデータの一周期分の断片を蓄積するとともに、各断片を受信した順序と逆順に入れ替えるよう構成する。
【００４２】
上記のデジタル放送再送信装置によれば、一周期分の繰り返しデータを蓄積してから、パケット単位で逆順に配信することにより、デジタル放送受信装置において位相が逆順となった繰り返しデータを受信させることができる。
【００４３】
本発明は、また、上記遅延部を含んだデジタル放送再送信装置のいずれかを２以上含んでおり、前記各デジタル放送再送信装置における各遅延部は、それぞれ異なる時間分、放送信号又は繰り返しデータを遅延させることを特徴とするデジタル放送再送信装置を提供するものである。
これにより、上記複数のデジタル放送再送信装置間で、繰り返しデータを遅延させるタイミングを調整することが可能となる。
【００４４】
本発明は、また、上記配信順序変更部を含んだデジタル放送再送信装置のいずれかを２以上含んでおり、前記各デジタル放送再送信装置における各順序変更部は、繰り返しデータをそれぞれ異なる順序に入れ替えることを特徴とするデジタル放送再送信装置を提供するものである。
これにより、上記複数のデジタル放送再送信装置間で、繰り返しデータの配信順序の変更を調整することが可能となる。
【００４５】
本発明は、また、複数の伝送路から同一の放送を受信可能なデジタル放送受信装置であって、前記複数の伝送路のそれぞれから放送を受信する複数の受信部と、前記各受信部から前記放送に含まれる繰り返しデータを取得する繰り返しデータ処理部と、を備えており、２以上の受信部において同一の放送を受信するときには、前記繰り返しデータ処理部により前記２以上の受信部から取得したそれぞれの繰り返しデータを統合して利用することができることを特徴とするデジタル放送受信装置を提供するものである。
これにより、複数の伝送路から受信した放送信号において、遅延処理又は配信順序変更処理をされた繰り返しデータが含まれる場合には、他の繰り返しデータと統合して利用することにより、繰り返しデータを効率よく受信することが可能となる。
【００４６】
さらに、本発明は、上記いずれかのデジタル放送再送信装置を少なくとも１つ、及び上記のデジタル放送受信装置を少なくとも１つ含んで構成されるとともに、前記デジタル放送再送信装置から再送信される伝送路を含む複数の伝送路において、同一の放送を配信することを特徴とするデジタル放送送受信システムを提供するものである。
【００４７】
【発明の実施の形態】
以下、添付図面を参照しながら、本発明のデジタル放送送受信システムの実施の形態について詳細に説明する。尚、以下に説明する本発明の各実施形態では、図１８〜図２１に示したのと同様、ＣＡＴＶ局においてＢＳデジタル放送が再送信されており、受信装置においてＢＳデジタル放送の直接受信とＣＡＴＶ伝送路からの受信との両方を行うことができる場合を例にとっている。また、繰り返しデータとしてＢＳデジタル放送のＥＩＴの例について説明している。
【００４８】
［第１実施形態］
図１は、本発明の第１実施形態にかかるデジタル放送送受信システムの全体構成を概略的に示す図である。図１において、本実施形態のデジタル放送送受信システムは、ＣＡＴＶ局１０２とユーザ宅などに設置されるデジタル放送受信装置１０４とから構成されている。
【００４９】
ＣＡＴＶ局１０２は、ＢＳデジタル伝送路１０１からのＢＳデジタル放送を受信し、所定の変換処理を行ってＣＡＴＶ伝送路１０３に再送出することができる再送信装置を備えている。また、デジタル放送受信装置１０４は、ＢＳデジタル伝送路１０１からの放送を受信可能なＣＡＴＶ伝送路受信部と、ＣＡＴＶ伝送路１０３からの放送を受信可能なＢＳデジタル伝送路受信部とを備えている。
【００５０】
図１に示すように、本実施形態のデジタル放送送受信システムでは、デジタル放送受信装置１０４において、ＢＳデジタル伝送路１０１から受信するＢＳデジタル放送と、ＣＡＴＶ伝送路１０３から受信するＢＳデジタル放送との間に、時間Δｔの遅延が発生する。この遅延時間は、ＣＡＴＶ局１０２の再送信装置における再送信処理により発生するものである。
【００５１】
図２は、デジタル放送受信装置１０４において遅延時間Δｔが生じる場合におけ
る各伝送路１０１及び１０３からの入力ストリームを示す図である。図２において、ａ１、ａ２、…、ａ６は、ＢＳデジタル放送のＳＩに含めて配信されているＥＩＴの各データを表している。ここで、ＥＩＴは繰り返しデータとして配信されるものであるから、ａ１、ａ２、…、ａ６と順次配信し終わった後は、再びａ１、ａ２、…と同じデータを繰り返して配信するようになっている。すなわち、ａ１〜ａ６が繰り返しデータの一周期分となる。
【００５２】
今、図２において、ＢＳデジタル伝送路の入力ストリームがａ１、ａ２、ａ３、ａ４、ａ５、ａ６、…と続いている一方で、ＣＡＴＶ伝送路の入力ストリームはａ６、ａ１、ａ２、ａ３、ａ４、ａ５、…と続いている。ＣＡＴＶ局における再送信処理により生じる遅延時間Δｔに応じて、デジタル放送受信装置１０４に入力される繰り返しデータにこのような位相差が発生する。本実施形態のデジタル放送送受信システムでは、この位相差を利用することにより、繰り返しデータの取得に必要な時間を短縮するものである。
【００５３】
従来の技術では、例えば、ＢＳデジタル伝送路の入力ストリームのａ１からａ６までの一周期分を取得して初めて繰り返しデータが全て蓄積されたことになっていた。しかしながら、本実施形態では、例えば、ＢＳデジタル伝送路の入力ストリームからａ１、ａ２、ａ３、ａ４、ａ５を取得するのと同時に、ＣＡＴＶ伝送路の入力ストリームからａ６、ａ１、ａ２、ａ３、ａ４を取得すれば、ａ１〜ａ６までの一周期分の繰り返しデータを、従来よりも短い時間で取得することができることになる。
【００５４】
次に、本実施形態のデジタル放送送受信システムにおけるデジタル放送受信装置の構成について説明する。図３は、デジタル放送受信装置の内部構成を詳細に示す機能ブロック図である。
図３において、（ａ）に示すデジタル放送受信装置は、２つの受信部３０２及び３０６と、ユーザ指示受信処理部３０９と、繰り返しデータ処理部３１０と、同一受信判定部３１１と、選局指示部３１２とを含んでいる。
【００５５】
一方の受信部３０２は、ＢＳデジタル放送に使用される衛星からＢＳデジタル放送受信アンテナまで信号を伝達する経路であるＢＳデジタル伝送路３０１からＢＳデジタル放送を受信する。他方の受信部３０６は、ＢＳデジタル伝送路３０１の信号をＣＡＴＶ局において変換し再送信する経路であるＣＡＴＶ伝送路３０５からＢＳデジタル放送を受信する。
【００５６】
受信部３０２及び３０６は、それぞれ、フロントエンド部３０３及び３０７と、ＤＥＭＵＸ部３０４及び３０８とを備えている。フロントエンド部３０３及び３０７は、それぞれ、ＢＳデジタル伝送路３０１及びＣＡＴＶ伝送路３０５からＢＳデジタル放送を受信し、伝送路符号化された信号を復号してＤＥＭＵＸ部３０４及び３０８に出力する。ＤＥＭＵＸ部３０４及び３０８は、それぞれ、受信信号から多重化された信号を分離し、ビデオ信号、オーディオ信号などは再生装置（図示せず）出力し、ＥＩＴなどの繰り返しデータやＭＰＥＧ−２  ＰＳＩ／ＳＩ／ＥＭＭなどの制御用データは、繰り返しデータ処理部３１０、同一受信判定部３１１、その他所定の装置（図示せず）に出力する。
【００５７】
尚、各受信部３０２及び３０６それぞれの詳細な構成については、ＡＲＩＢ  ＳＴＤ−Ｂ２１標準規格、ＪＣＴＥＡ  ＳＴＤ−００７−１．０  ＢＳデジタル対応受信装置に従うものとする。
繰り返しデータ処理部３１０は、記憶素子などを含んでおり、各受信部３０２及び３０６から出力されるＥＩＴなどの繰り返しデータを受信し蓄積する。
【００５８】
ユーザ指示受信処理部３０９は、ユーザからの選局等の指示を受信し、所定の処理を行う。例えば、ユーザがデジタル放送受信装置の電源ＯＮにする操作やチャンネルを変更する操作などを行うと、ユーザ指示受信処理部３０９は選局処理が必要となったことを認識し、同一受信判定部３１１に選局処理の開始を通知するようになっている。
【００５９】
同一受信判定部３１１は、各受信部３０２及び３０６から出力されるＰＳＩ（Ｐｒｏｇｒａｍ  Ｓｐｅｃｉｆｉｃ  Ｉｎｆｏｒｍａｔｉｏｎ）を受信し、現在受信している放送が複数の受信部において受信可能かどうかを判別する。同一受信判定部３１１は、また、ユーザ指示受信処理部３０９からの指示により、選局指示部３１２に選局指示を送信する。尚、現在受信している放送が複数の受信部において受信可能かどうかの判別には、ＰＳＩ以外の情報を用いてもよい。
選局指示部３１２は、同一受信判定部３１１からの選局指示に基づいて、現在受信可能な放送の中から所定の選局を行うよう各受信部３０２及び３０６を制御する。
【００６０】
また、本実施形態のデジタル放送受信装置は、図３の（ｂ）に示すように、それぞれ異なる伝送路からの放送を受信する受信部を含んだデジタル放送受信装置ａ及びｂと、繰り返しデータ処理や選局処理などの制御を行うためのデジタル放送受信制御ユニットとから構成することもできる。尚、（ｂ）に示すデジタル放送受信装置において、同一の符号を付してある構成部分は（ａ）のデジタル放送受信装置におけるものと同様の構成及び機能を有するものとする。
【００６１】
上記のように構成された本実施形態のデジタル放送受信装置において、デジタル放送を受信するために行う選局操作について説明する。図４は、図３に示すデジタル放送受信装置の同一受信判定部３１１において行われる選局処理の手順を示すフローチャートである。
【００６２】
図４において、まず、同一受信判定部３１１はユーザ指示受信処理部３０９からの選局指示を待ち受けている（ステップＳ１）。選局指示を受信すると、所要の番組を選択するためのＰＳＩを各受信部３０２及び３０６から受信し、各ＰＳＩに含まれているネットワークＩＤ及びサービスＩＤを参照して、選局されたサービスが存在するかどうかを判断する。（ステップＳ２）。尚、本実施形態では、ＢＳデジタル伝送路３０１及びＣＡＴＶ伝送路３０５から受信する同一サービスは、同一ネットワークＩＤ、同一サービスＩＤであり、これによって判断を行う。
【００６３】
続いて、同一受信判定部３１１は、ステップＳ２において選局されたサービスが存在すると判断された受信部の全てにおいて、当該サービスを受信するよう選局指示部３１２に選局指示を送信する（ステップＳ３）。この選局指示を受信した選局指示部３１２は、指示された受信部において当該サービスを受信するよう制御を行う。
本実施形態のデジタル放送受信装置は、上記以外にも、従来の装置と同様の動作を行うことができるものとする。
【００６４】
次に、本実施形態のデジタル放送送受信システムにおけるデジタル放送再送信装置について説明する。図５は、本実施形態のデジタル放送再送信装置の内部構成を概略的に示す機能ブロック図である。尚、図２１に示す従来のデジタル放送再送信装置と同様の構成部分は同様に構成されているものとする。
【００６５】
図５に示す本実施形態のデジタル放送再送信装置は、各ＢＳ局用デジタルチューナ５０１、５１１、５２１、５３１及び５４１と各ＮＩＴ書き換え処理部５０３、５１３、５２３、５３３及び５４３との間に、それぞれ、遅延部５０２、５１２、５２２、５３２及び５４２を備えたことを特徴としている。
【００６６】
各遅延部５０２、５１２、５２２、５３２及び５４２は、簡単なバッファ回路などで構成されており、これにより、各ＮＩＴ書き換え処理部５０３、５１３、５２３、５３３及び５４３に各ＴＳを一定時間遅延させて入力することができる。
【００６７】
上記のように構成された本実施形態のデジタル放送再送信装置において、ＢＳデジタル伝送路５５０から受信したＢＳデジタル放送をＣＡＴＶ伝送路５６０に再送信する動作について説明する。
【００６８】
本実施形態では、図１に示すように、ＢＳデジタル伝送路５５０及びＣＡＴＶ伝送路５６０の２つの伝送路で同一サービスを配信している。ＥＩＴの再送周期は、従来同様、図１８に示す再送周期を使用しているものとする。
【００６９】
図３に示すようにＢＳデジタル伝送路５５０及びＣＡＴＶ伝送路５６０の両方からＢＳデジタル放送を受信可能な本実施形態のデジタル放送受信装置において、全てのＥＩＴを最短時間で取得できるようにするためには、本実施形態のデジタル放送再送信装置の各遅延部５０２、５１２、５２２、５３２及び５４２において、最長の再送周期の半分に相当する時間、各ＴＳの伝送を遅延させればよい。
【００７０】
すなわち、図１８に示すデフォルト再送周期を例にとると、最長の再送周期はデータ型の再送周期３６０秒であるので、本実施形態のデジタル放送再送信装置によりＢＳデジタル放送を１８０秒間遅延させてＣＡＴＶ伝送路５６０に再送信することにより、本実施形態のデジタル放送受信装置では、全てのＥＩＴを１８０秒間で取得できるようになる。
【００７１】
但し、上記したように、デジタル放送再送信装置における通常の再送信処理によっても一定時間Δｔの遅延が生じるので、実際には、このΔｔを差し引いた時
間を各遅延部５０２、５１２、５２２、５３２及び５４２において遅延させるものとする。
【００７２】
上記した例では、デジタル放送再送信装置による遅延処理によって、デジタル放送受信装置において取得時間が短縮されるのは、データ型の基本周期グループだけである。例えば、テレビ型の基本周期グループのデフォルト再送周期は１８０秒であるから、デジタル放送再送信装置で１８０秒間の遅延処理を行っても、ＢＳデジタル伝送路上の放送信号中とＣＡＴＶ伝送路上の放送信号中とに含まれるテレビ型の基本周期グループのデータは、位相が一致していることになる。この例では、データ型の基本周期グループ以外についてもデジタル放送受信装置における取得時間が短縮されるためには、遅延時間をより短くする必要がある。
【００７３】
したがって、本実施形態では、図１８に示すような繰り返しデータの各再送周期を考慮して、デジタル放送受信装置における各繰り返しデータ取得時間の短縮効果が全体として最大になるような遅延時間を計算し、この値を遅延部に設定しておくのが好ましい。
【００７４】
本実施形態において、上記の値は、次の式により最適遅延量として算出される。
最適遅延量  ＝  ＭＩＮ  （ＳＵＭ  （ＡＢＳ  （最適値  −  ＭＯＤ  （遅延量，各再送周期）  ）  ）  ）
但し、上記の式において、遅延量は０から３６０秒までの値であり、ＭＯＤ（遅延量，各再送周期）は遅延量を各再送周期で割った余りの値であり、最適値は各再送周期を同一サービスが配信される伝送路数で割った値であり、ＡＢＳ（）は（）内の値の絶対値であり、ＳＵＭ（）は（）内の値の合計値であり、ＭＩＮ（）は（）内の式が最小値となるポイントを示している。
尚、上記の式は、本実施形態において最適遅延量を算定するための式一例であり、他の計算式を用いてもよい。
【００７５】
ここで、図１〜図５に示した本実施形態のデジタル放送送受信システムの例について、上記の式に従って最適遅延量を算出してみる。繰り返しデータの各再送周期には、図１８に示すデフォルト再送周期を使用するものとし、同一サービスが配信される伝送路数はＢＳデジタル伝送路及びＣＡＴＶ伝送路の２つである。
【００７６】
図６は、上記の条件に従って遅延量を０から３６０まで変化させた場合の上記の式中のＳＵＭ  （ＡＢＳ  （最適値  −  ＭＯＤ  （遅延量，各再送周期）  ）  ）の値を示すグラフ図である。上記の条件を用いて上記の式を解決すると、
ＭＩＮ  （ＳＵＭ  （ＡＢＳ  （最適値  −  ＭＯＤ  （遅延量，各再送周期）  ）  ）  ）  ＝  ２０１．５（秒）
となる。
【００７７】
このとき、図６に示すように、ＳＵＭ  （ＡＢＳ  （最適値  −  ＭＯＤ  （遅延量，各再送周期）  ）  ）の値を最小にする遅延量は一定の幅を持ち、９０秒から９１．５秒の間、及び２６８．５秒から２７０秒の間となる。これらの範囲内であれば、評価式による評価は同一であるので範囲内で任意に決定する。
【００７８】
ここで、遅延量を９０秒とした場合、本実施形態のデジタル放送受信装置において、データ型の基本周期グループのＥＩＴは２７０秒で、テレビ型と音声型の基本周期グループのＥＩＴは９０秒で、音声型の拡張周期グループ１とデータ型の拡張周期グループ１は１０秒で取得できるようになる。
【００７９】
尚、図５に示す本実施形態のデジタル放送再送信装置では、各ＢＳ局用デジタルチューナ５０１、５１１、５２１、５３１及び５４１と各ＮＩＴ書き換え処理部５０３、５１３、５２３、５３３及び５４３との間に各遅延部５０２、５１２、５２２、５３２及び５４２を配置しているが、本実施形態のデジタル放送再送信装置の構成はこれに限定されるものではない。例えば、各遅延部５０２、５１２、５２２、５３２及び５４２は、各ＮＩＴ書き換え処理部５０３、５１３、５２３、５３３及び５４３の出力側に配置してもよい。
【００８０】
［第２実施形態］
図７は、本発明の第２実施形態にかかるデジタル放送送受信システムにおいて用いるデジタル放送再送信装置の内部構成を概略的に示す機能ブロック図である。図中、図５に示す第１実施形態のデジタル放送再送信装置と同様の構成部分は、同様に構成されているものとする。
【００８１】
本実施形態のデジタル放送再送信装置においては、各ＢＳ局用デジタルチューナ７０１、７１１、７２１、７３１及び７４１と、各ＮＩＴ書き換え処理部７０４、７１４、７２４、７３４及び７４４との間に、それぞれ、繰り返しデータ抽出部７０２、７１２、７２２、７３２及び７４２と、繰り返しデータ書き換え処理部７０３、７１３、７２３、７３３及び７４３とを配置している。
【００８２】
また、各繰り返しデータ抽出部７０２、７１２、７２２、７３２及び７４２の出力側に、遅延部７０５、７１５、７２５、７３５及び７４５をそれぞれ配置し、各遅延部７０５、７１５、７２５、７３５及び７４５は、繰り返しデータ書き換え処理部７０３、７１３、７２３、７３３及び７４３に対して出力を行うように構成している。
【００８３】
各繰り返しデータ抽出部７０２、７１２、７２２、７３２及び７４２は、一方で、受信したＴＳからＥＩＴなどの繰り返しデータを含むＴＳを抽出し、各遅延部７０５、７１５、７２５、７３５及び７４５に出力する。また、他方では、受信したＴＳをそのまま各繰り返しデータ書き換え処理部７０３、７１３、７２３、７３３及び７４３に出力する。
【００８４】
各遅延部７０５、７１５、７２５、７３５及び７４５では、受信した繰り返しデータを含むＴＳを一定時間遅延させた後、各繰り返しデータ書き換え処理部７０３、７１３、７２３、７３３及び７４３に出力する。
【００８５】
各繰り返しデータ書き換え処理部７０３、７１３、７２３、７３３及び７４３は、各繰り返しデータ抽出部７０２、７１２、７２２、７３２及び７４２から受信したＴＳのうち繰り返しデータ部分を含む部分を、各遅延部７０５、７１５、７２５、７３５及び７４５から受信したＴＳに書き換える。
【００８６】
図８は、各繰り返しデータ抽出部及び各繰り返しデータ書き換え処理部の内部構成を詳細に示す機能ブロック図である。
図８において、繰り返しデータ抽出部は、ＢＳ局用デジタルチューナから受信した信号を２分配して、一方の信号を繰り返しデータ抽出部内のＤＥＭＵＸ部８０１に入力し、他方の信号を繰り返しデータ書き換え処理部に出力するよう構成されている。
【００８７】
繰り返しデータ抽出部のＤＥＭＵＸ部８０１は、入力されたＴＳパケットのＰＩＤを参照し、繰り返しデータを含んだＴＳパケットを抽出し、遅延部８０４に出力する。例えば、ＥＩＴを含んだＴＳパケットではＰＩＤが０ｘ００１２である。
【００８８】
遅延部８０４は、図５に示す第１実施形態のものと同様に、ＤＥＭＵＸ部８０１から受信した繰り返しデータを含むＴＳパケットを一定時間遅延させて、繰り返しデータ書き換え処理部のスイッチ８０３に出力する。ここで、遅延部８０４に設定する遅延量については、上記第１実施形態におけるものと同様とする。
【００８９】
図８に示すように、繰り返しデータ書き換え処理部は、ＰＩＤ検出部８０２とスイッチ８０３とを備えている。ＰＩＤ検出部８０２は、繰り返しデータ抽出部からの入力信号をそのままスイッチ８０３に出力するが、入力信号に含まれるＴＳパケットのＰＩＤを監視しており、繰り返しデータを含んだＴＳパケット（例えば、ＰＩＤが０ｘ００１２であるもの）を認識すると、スイッチ８０３を制御し、入力端をＰＩＤ検出部８０２側から遅延部８０４側に切り替える。また、繰り返しデータを含まないＴＳパケットが入力されると、再びスイッチ８０３の入力端をＰＩＤ検出部８０２側に切り替える。
【００９０】
これにより、繰り返しデータ書き換え処理部を通過するＴＳパケットのうち、繰り返しデータを含まないものはそのままＮＩＴ書き換え処理部に出力され、繰り返しデータを含むものについては、遅延部８０４において一定時間遅延されたＴＳパケットがＮＩＴ書き換え処理部に出力されることになる。
【００９１】
上記の第１実施形態同様、同一のＢＳデジタル放送サービスが２つの伝送路で配信されており、ＢＳデジタル放送に含まれる繰り返しデータについては図１８に示すデフォルト再送周期が使用されている場合において、デジタル放送再送信装置における遅延量を９０秒に設定すると、デジタル放送受信装置では、データ型の基本周期グループのＥＩＴは２７０秒で、テレビ型と音声型の基本周期グループのＥＩＴは９０秒で、音声型の拡張周期グループ１とデータ型の拡張周期グループ１は１０秒で取得できることになる。
【００９２】
尚、図７に示す本実施形態のデジタル放送再送信装置では、各繰り返しデータ書き換え処理部７０３、７１３、７２３、７３３及び７４３の出力側に各ＮＩＴ書き換え処理部７０４、７１４、７２４、７３４及び７４４を配置しているが、本実施形態のデジタル放送再送信装置の構成はこれに限定されるものではない。例えば、各ＮＩＴ書き換え処理部７０４、７１４、７２４、７３４及び７４４は、各繰り返しデータ抽出部７０２、７１２、７２２、７３２及び７４２と各繰り返しデータ書き換え処理部７０３、７１３、７２３、７３３及び７４３との間や、各繰り返しデータ抽出部７０２、７１２、７２２、７３２及び７４２の入力側に配置してもよい。
【００９３】
［第３実施形態］
図９は、本発明の第３実施形態にかかるデジタル放送送受信システムにおいて用いるデジタル放送再送信装置の内部構成を概略的に示す機能ブロック図である。図中、図５及び図７に示す第１実施形態及び第２実施形態のデジタル放送再送信装置と同様の構成部分は、同様に構成されているものとする。
【００９４】
本実施形態のデジタル放送再送信装置においては、図７に示す構成に加えて、各ＢＳ局用デジタルチューナ９０１、９１１、９２１、９３１及び９４１と、各繰り返しデータ抽出部９０３、９１３、９２３、９３３及び９４３との間に、それぞれ、配信周期抽出部９０２、９１２、９２２、９３２及び９４２を配置している。
【００９５】
また、各配信周期抽出部９０２、９１２、９２２、９３２及び９４２の出力側において、それぞれ、遅延量算出部９０６、９１６、９２６、９３６及び９４６を配置しており、各遅延量算出部９０６、９１６、９２６、９３６及び９４６は各遅延部９０７、９１７、９２７、９３７及び９４７に対して出力を行うように構成している。
【００９６】
各配信周期抽出部９０２、９１２、９２２、９３２及び９４２は、ＴＳに含まれる繰り返しデータの周期信号を抽出し、各遅延量算出部９０６、９１６、９２６、９３６及び９４６に出力する。各遅延量算出部９０６、９１６、９２６、９３６及び９４６は、受信した周期信号に基づいて、当該繰り返しデータの遅延量を算出し、各遅延部９０７、９１７、９２７、９３７及び９４７に遅延量を出力する。
【００９７】
一方、各繰り返しデータ抽出部９０３、９１３、９２３、９３３及び９４３は、第２実施形態と同様に、受信したＴＳからＥＩＴなどの繰り返しデータを含むＴＳを抽出し、各遅延部９０７、９１７、９２７、９３７及び９４７に出力している。
【００９８】
各遅延部９０７、９１７、９２７、９３７及び９４７は、各繰り返しデータ抽出部９０３、９１３、９２３、９３３及び９４３から受信した繰り返しデータを含むＴＳに対して、各遅延量算出部９０６、９１６、９２６、９３６及び９４６から受信した遅延量分、遅延させるよう処理を行った後、各繰り返しデータ書き換え処理部９０４、９１４、９２４、９３４及び９４４に出力する。
繰り返しデータ書き換え処理部（９０４、９１４、９２４、９３４及び９４４以降での処理については、第１実施形態及び第２実施形態のデジタル放送再送信装置における処理と同様であるものとする。
【００９９】
図１０は、図９に示す各配信周期抽出部、各繰り返しデータ抽出部、各繰り返しデータ書き換え処理部、各遅延部及び各遅延量算出部の内部構成を詳細に示す機能ブロック図である。ここでは、ＢＳデジタル放送のＳＩに繰り返しデータとしてＥＩＴが含まれている場合を例にとって具体的に説明する。
【０１００】
図１０において、配信周期抽出部及び繰り返しデータ抽出部は、それぞれ、ＤＥＭＵＸ部１００１の一部を含んでおり、繰り返しデータ書き換え処理部は多重化装置１００２を含んでおり、遅延部は、ＥＩＴメモリ１００３及びタイマ１００６を含んでおり、遅延量算出部はＢＩＴメモリ１００４及びＮＩＴメモリ１００５を含んだ構成となっている。
【０１０１】
尚、図１０では、配信周期抽出部、繰り返しデータ抽出部、繰り返しデータ書き換え処理部、遅延部及び遅延量算出部それぞれを点線で囲んで示しているが、実際には隣接する部位で重なりが生じている場合がある。また、ＣＰＵ１００７は各部位を制御するため、全ての部位と関係を持っている。
【０１０２】
ＢＳデジタル放送では、ＥＩＴの配信周期に関する情報をＢＩＴに記述して、ＥＩＴの周期グループに関する情報をＮＩＴに記述して配信している。このため、配信周期抽出部は、ＢＳ局用デジタルチューナからの受信信号をＤＥＭＵＸ部１００１に入力し、ＢＩＴ又はＮＩＴを含んだＴＳパケットを抽出する。ここでは、ＢＩＴを含んだＴＳパケットはＰＩＤ  ０ｘ００２４で認識され、ＮＩＴを含んだＴＳパケットはＰＩＤ  ０ｘ００１０により識別されるようになっている。ＤＥＭＵＸ部１００１において抽出されたＢＩＴ又はＮＩＴを含んだＴＳパケットは、それぞれ、遅延量算出部のＢＩＴメモリ１００４又はＮＩＴメモリ１００５に出力されるように構成している。
【０１０３】
遅延量算出部のＢＩＴメモリ１００４は、受信したＴＳパケットをデコードしてＥＩＴの再送周期データを取得し記憶する。図１１は、ＢＩＴメモリ１００４において記憶されるＥＩＴの再送周期データの構成例を示す図である。ここでは、ＥＩＴの再送周期データとして、各メディアタイプの各周期グループについて、再送周期及び遅延量を記憶している。
【０１０４】
遅延量算出部のＮＩＴメモリ１００５は、受信したＴＳパケットに含まれるＮＩＴに基づいて、ｓｅｒｖｉｃｅ＿ｉｄとメディアタイプとの対応表を作成する。
繰り返しデータ抽出部は、ＥＩＴを含んだＴＳパケットをＰＩＤ  ０ｘ００１２で認識して抽出し、遅延部のＥＩＴメモリ１００３に出力する。
【０１０５】
遅延部は、現在時刻を管理するタイマ１００６により、繰り返しデータ抽出部からＴＳパケットを受信した時刻を計測して記録する（タイムスタンプ）とともに、受信したＴＳパケットをＥＩＴメモリ１００３に一旦格納しておく。一方で、遅延部は、遅延量算出部からＥＩＴ再送周期データを取得し、現在格納しているＴＳパケットの遅延量及び周期グループを取得している。
【０１０６】
遅延部は、格納してあるＴＳパケットの受信時刻と上記取得した遅延量とから当該ＴＳパケットの配信時刻を算出し、これを当該ＴＳパケットに付加して、繰り返しデータ書き換え処理部の多重化装置１００２に出力する。
【０１０７】
図１０に示すように、繰り返しデータ書き換え処理部の多重化装置１００２は、ＥＩＴの各周期グループごとに異なる入力部を備えている。遅延部からの受信信号は、それぞれ該当する周期グループにおいて受信されるよう構成している。
【０１０８】
繰り返しデータ書き換え処理部の多重化装置１００２は、繰り返しデータ抽出部のＤＥＭＵＸ部１００１から直接受信する繰り返しデータを含まない信号に、遅延部からの各周期グループごとに受信する繰り返しデータを、当該周期グループの配信時刻に多重してＮＩＴ書き換え処理部に出力する。
【０１０９】
図１２は、図１１に示す各遅延部及び各遅延量算出部における一連の処理を示すフローチャートである。尚、これらの処理はデジタル放送再送信装置に予めプログラムされており、実際にはＣＰＵ１００７が各繰り返しデータ抽出部及び各繰り返しデータ書き換え処理部を制御して実行するものとする。以下、各ステップの処理について説明する。
【０１１０】
本実施形態のデジタル放送再送信装置の電源をＯＮにし、あるいは再送信処理を開始すると、まず、遅延量算出部は、配信周期抽出部から抽出されたＮＩＴを受信し、ＮＩＴメモリ１００５に記憶する。全ＮＩＴをＮＩＴメモリ１００５に記憶し終えると（ステップＳ１１）、遅延量算出部は、記憶したＮＩＴに基づいてｓｅｒｖｉｃｅ＿ｉｄとメディアタイプとの対応表を作成する（ステップＳ１２）。
【０１１１】
続いて、遅延量算出部は、配信周期抽出部から抽出されたＢＩＴを受信し、ＢＩＴメモリ１００４に記憶する。全ＢＩＴをＢＩＴメモリ１００４に記憶し終えると（ステップＳ１３）、遅延量算出部は、記憶したＢＩＴに基づいて周期グループ毎の遅延量を算出する（ステップＳ１４）。
【０１１２】
ところで、上記したように、遅延量の最適値は、周期グループ毎の周期を、同一サービスを配信する伝送路数により割った値となる。本実施形態は、同一サービスを配信する伝送路は、ＢＳデジタル伝送路とＣＡＴＶ伝送路の２つであるから、周期グループ毎にＥＩＴの位相を半分ずらすようにすれば、デジタル放送受信装置におけるＥＩＴの取得時間を最短にすることができる。
【０１１３】
ここで、周期グループ毎にＥＩＴの位相を半分ずらす遅延量とは、再送周期の半分を遅延量とすることであり、図１１に示すように、周期グループ毎に規定されている再送周期から容易に算出し、記憶しておくことができる。
【０１１４】
遅延部は、繰り返しデータ抽出部から抽出されたＥＩＴを受信し、タイマ１００６によりタイムスタンプを付加した後、ＥＩＴメモリ１００３に記憶する（ステップＳ１５）。遅延部は、さらに、記憶しているＥＩＴのセクションヘッダ内に記載されているｓｅｒｖｉｃｅ＿ｉｄとｔａｂｌｅ＿ｉｄを読み取り、ステップＳ１２において作成したｓｅｒｖｉｃｅ＿ｉｄとメディアタイプの対応表を参照して、どの周期グループのデータかを確認し、遅延量算出部において算出された周期グループ毎の遅延量のうち該当するものを上記タイムスタンプに加算し、多重化装置の該当する周期グループ入力部に出力する（ステップＳ１６）。
【０１１５】
ＢＩＴは、デジタル放送受信中に変更される可能性があるため、遅延量算出部において常時監視する。ＢＩＴの監視は、セクションヘッダ内に記述されたｖｅｒｓｉｏｎ＿ｎｕｍｂｅｒの変化を監視することにより行うことができる。
【０１１６】
上記ステップＳ１６実行後の処理は、ＢＩＴが変更されているかどうかによって異なる。ＢＩＴが変更されていない場合には、ステップＳ１６実行後に再びステップＳ１５に戻り、受信したＥＩＴの遅延処理を継続する。ＢＩＴが変更された場合には、ステップＳ１６実行後にステップＳ１４に戻り、変更後のＢＩＴに基づいて周期グループ毎の遅延量を新たに算出し、以降の処理ステップに進むものとする（ステップＳ１７）。
【０１１７】
尚、図９では、各繰り返しデータ書き換え処理部９０４、９１４、９２４、９３４及び９４４の出力側に各ＮＩＴ書き換え処理部９０５、９１５、９２５、９３５及び９４５を配置しているが、本実施形態のデジタル放送再送信装置の構成はこれに限定されるものではない。例えば、各ＮＩＴ書き換え処理部９０５、９１５、９２５、９３５及び９４５は、各繰り返しデータ抽出部９０３、９１３、９２３、９３３及び９４３と各繰り返しデータ書き換え処理部９０４、９１４、９２４、９３４及び９４４との間や、各配信周期抽出部９０２、９１２、９２２、９３２及び９４２と各繰り返しデータ抽出部９０３、９１３、９２３、９３３及び９４３との間や、各配信周期抽出部９０２、９１２、９２２、９３２の入力側などに配置してもよい。
【０１１８】
［第４実施形態］
図１３は、本発明の第４実施形態にかかるデジタル放送送受信システムにおいて、異なる２つの伝送路それぞれに配信されるＢＳデジタル放送の入力ストリームの構成例を示す図である。
図１３において、ＢＳデジタル伝送路の入力ストリームがａ１、ａ２、ａ３、ａ４、ａ５、ａ６、…と続いている一方で、ＣＡＴＶ伝送路の入力ストリームはａ２、ａ１、ａ６、ａ５、ａ４、ａ３、…と続いている。ａ１〜ａ６が繰り返しデータの一周期分である。本実施形態では、両伝送路において、ストリームの送信される順序が逆になっていることを特徴としている。
【０１１９】
図１３に示す例では、デジタル放送受信装置がＢＳデジタル伝送路とＣＡＴＶ伝送路との両方からＢＳデジタル放送を受信可能な場合には、例えば、ＢＳデジタル伝送路の入力ストリームからａ１、ａ２、ａ３、ａ４、を取得するのと同時に、ＣＡＴＶ伝送路の入力ストリームからａ２、ａ１、ａ６、ａ５を取得すれば、ａ１〜ａ６までの一周期分の繰り返しデータを、従来よりも短い時間で取得することができることになる。
【０１２０】
図１４は、本実施形態において用いるデジタル放送再送信装置の内部構成を概略的に示す機能ブロック図である。図中、図５、図７及び図９に示す第１〜第３実施形態のデジタル放送再送信装置と同様の構成部分は、同様に構成されているものとする。
【０１２１】
図１４において、本実施形態のデジタル放送再送信装置は、図７に示す各遅延部７０５、７１５、７２５、７３５及び７４５に代えて、それぞれ、逆順作成部１４０５、１４１５、１４２５、１４３５及び１４４５を配置している。
【０１２２】
各逆順作成部１４０５、１４１５、１４２５、１４３５及び１４４５は、各繰り返しデータ抽出部１４０２、１４１２、１４２２、１４３２及び１４４２により抽出された繰り返しデータを含むＴＳパケットを受信し、一周期分の繰り返しデータを内部に蓄積する。図１３に示す例では、ＢＳデジタル伝送路から受信したａ１、ａ２、…、ａ６の一周期分の繰り返しデータを蓄積することになる。
【０１２３】
続いて、各逆順作成部１４０５、１４１５、１４２５、１４３５及び１４４５は、蓄積した一周期分の繰り返しデータをａ６、ａ５、…、ａ１という逆順にして、各繰り返しデータ書き換え処理部１４０３、１４１３、１４２３、１４３３及び１４４３に出力する。
【０１２４】
各繰り返しデータ書き換え処理部１４０３、１４１３、１４２３、１４３３及び１４４３では、受信した逆順の一周期分の繰り返しデータを、各繰り返しデータ抽出部１４０２、１４１２、１４２４、１４３４及び１４４４から直接受信したＴＳパケットに再多重し、各ＮＩＴ書き換え処理部１４０４、１４１４、１４２４、１４３４及び１４４４に出力する。
【０１２５】
これにより、図１３に示すように、ＣＡＴＶ伝送路におけるＢＳデジタル放送の繰り返しデータのストリームは、ＢＳデジタル伝送路におけるものと逆順になり、これらを受信するデジタル放送受信装置では、一周期分の繰り返しデータを取得するための時間が短縮される。
【０１２６】
図１５は、図１４に示す各繰り返しデータ抽出部、各繰り返しデータ書き換え処理部、及び各逆順作成部の内部構成を詳細に示す機能ブロック図である。ここでは、ＢＳデジタル放送のＳＩに繰り返しデータとしてＥＩＴが含まれている場合を例にとって具体的に説明する。尚、図１０に示す第３実施形態のものと同様の構成部分は同様に構成されているものとする。
【０１２７】
図１５において、繰り返しデータ抽出部は、ＤＥＭＵＸ部１５０１及びＮＩＴメモリ１５０３を含んでおり、繰り返しデータ抽出部は、多重化装置１５０２を含んでおり、逆順作成部は、ＥＩＴメモリ１５０４及びタイマ１５０５を含んでいる。
【０１２８】
尚、図１５では、繰り返しデータ抽出部、繰り返しデータ抽出部及び逆順作成部それぞれを点線で囲んで示しているが、実際には隣接する部位で重なりが生じている場合がある。また、ＣＰＵ１５０６は各部位を制御するため、全ての部位と関係を持っている。
【０１２９】
ＢＳデジタル放送では、ＥＩＴの周期グループに関する情報をＮＩＴに記述して配信しているので、繰り返しデータ抽出部は、ＤＥＭＵＸ部１５０１において受信した信号からＮＩＴを含んだＴＳパケットを抽出し、ＮＩＴメモリ１５０３に出力する。ここでは、ＮＩＴを含んだＴＳパケットはＰＩＤ  ０ｘ００１０により識別されるようになっている。繰り返しデータ抽出部のＮＩＴメモリ１５０２は、当該ＴＳパケットに含まれるＮＩＴに基づいて、ｓｅｒｖｉｃｅ＿ｉｄとメディアタイプとの対応表を作成する。
【０１３０】
繰り返しデータ抽出部は、また、受信信号からＥＩＴを含んだＴＳパケットをＰＩＤ  ０ｘ００１２で認識して抽出し、逆順作成部のＥＩＴメモリ１５０４に出力する。
逆順作成部は、現在時刻を管理するタイマ１５０５により、繰り返しデータ抽出部からＴＳパケットを受信した時刻を計測して記録する（タイムスタンプ）とともに、受信したＴＳパケットをＥＩＴメモリ１５０４に一旦格納しておく。
【０１３１】
ＥＩＴメモリ１５０４において一周期分の繰り返しデータが蓄積されると、逆順作成部は、蓄積された各ＴＳパケットの受信時刻を参照し、一周期分の繰り返しデータが受信した順序と逆順になるように配信時刻を付加して、繰り返しデータ書き換え処理部の多重化装置１５０２の各周期グループ入力部に出力する。
【０１３２】
多重化装置１５０２は、繰り返しデータ抽出部のＤＥＭＵＸ部１５０１から直接受信する繰り返しデータを含まない信号に、逆順作成部からの各周期グループごとに受信する繰り返しデータを、当該配信時刻に多重してＮＩＴ書き換え処理部に出力する。
【０１３３】
図１６は、図１５に示す各繰り返しデータ抽出部及び各逆順作成部における一連の処理を示すフローチャートである。尚、これらの処理はデジタル放送再送信装置に予めプログラムされており、実際にはＣＰＵ１５０６が各繰り返しデータ抽出部及び各逆順作成部を制御して実行するものとする。以下、各ステップの処理について説明する。
【０１３４】
本実施形態のデジタル放送再送信装置の電源をＯＮにし、あるいは再送信処理を開始すると、まず、繰り返しデータ抽出部は、ＤＥＭＵＸ部１５０１において受信信号からＮＩＴを抽出し、ＮＩＴメモリ１５０３に記憶する。全ＮＩＴをＮＩＴメモリ１５０３に記憶し終えると（ステップＳ２１）、繰り返しデータ抽出部は、記憶したＮＩＴに基づいてｓｅｒｖｉｃｅ＿ｉｄとメディアタイプとの対応表を作成する（ステップＳ２２）。
【０１３５】
繰り返しデータ抽出部は、また、ＤＥＭＵＸ部１５０１において受信信号からＥＩＴを抽出し、逆順作成部のＥＩＴメモリ１５０４に出力する。逆順作成部は、受信したＥＩＴデータにセクションヘッダが含まれているのを認識した場合には、そのＥＩＴに対してタイマ１５０５によりタイムスタンプを付加した後、ＥＩＴメモリ１５０４に記憶する（ステップＳ２３）。
【０１３６】
続いて、逆順作成部は、取得したＥＩＴが、すでにＥＩＴメモリ１５０４に蓄積されているものかどうかを判別する（ステップＳ２４）。これを判別する方法は、ＥＩＴデータに含まれるセクションヘッダ内のｔａｂｌｅ＿ｉｄ、ｓｅｒｖｉｃｅ＿ｉｄ及びｓｅｃｔｉｏｎ＿ｎｕｍｂｅｒが同一であるかどうかによるものとする。
【０１３７】
取得したＥＩＴがまだＥＩＴメモリ１５０４に蓄積されていないものである場合には、当該ＥＩＴをＥＩＴメモリ１５０４に蓄積した後、さらにステップＳ２３においてＥＩＴの受信を待ち受ける。
取得したＥＩＴがすでにＥＩＴメモリ１５０４に蓄積されている場合には、逆順作成部は、一周期分のＥＩＴが取得されたものと判断して、当該一周期分の各ＥＩＴについて、受信時刻の順序と逆順になるようにそれぞれのタイムスタンプを入れ替える（ステップＳ２５）。例えば、受信時刻の順序がａ１、ａ２、…、ａ５、ａ６となっている場合には、ａ１のタイムスタンプはａ６のタイムスタンプに書き替え、ａ２のタイムスタンプはａ５のタイムスタンプに書き替えるなどして、タイプスタンプの入れ替えを行うことができる。これにより、取得時刻が逆順ａ６、ａ５、…、ａ２、ａ１となる。
【０１３８】
続いて、逆順作成部は、各ＥＩＴのタイムスタンプに一定時間を付加する（ステップＳ２６）。この付加後のタイムスタンプが各ＥＩＴの配信時刻となる。尚、配信時刻は配信可能な時間であればどのような時刻であってもよい。
【０１３９】
逆順作成部は、一周期分の各ＥＩＴに配信時刻を付加し終えると、これらを繰り返しデータ書き換え処理部の多重化装置１５０２の該当する周期グループ入力部に出力する（ステップＳ２７）。ここで、各ＥＩＴが属する周期グループは、各ＥＩＴのセクションヘッダ内に含まれているｓｅｒｖｉｃｅ＿ｉｄ及びｔａｂｌｅ＿ｉｄに基づき、ステップＳ２２において作成したｓｅｒｖｉｃｅ＿ｉｄとメディアタイプの対応表を参照して決定することができる。
その後、逆順作成部は、上記出力した一周期分のＥＩＴデータをＥＩＴメモリ１５０４から消去した後、再びステップＳ２３においてＥＩＴ受信を待ち受ける。
【０１４０】
尚、上記では、逆順作成部において繰り返しデータに任意の配信時刻を設定することにしているが、本実施形態のデジタル放送送受信システムでは、図１３に示すように、ＢＳデジタル伝送路でａ１、ａ２、…が配信されるのと同期して、ＣＡＴＶ伝送路においてａ６、ａ５、…が配信されるようにするのが、デジタル放送受信装置における繰り返しデータ取得時間の短縮のためには最も効果的である。
【０１４１】
本実施形態においてこれを実現するためには、第３実施形態と同様に、デジタル放送再送信装置において、ＢＩＴを取得する配信周期抽出部と、当該ＢＩＴに含まれる繰り返しデータの配信周期情報に基づいて配信時刻時間を決定する配信時刻決定部とを追加すればよい。このとき、配信時刻決定部では、繰り返しデータ取得時刻に加算する加算値を各周期グループの周期の整数倍としてやればよい。
【０１４２】
尚、図１４に示す本実施形態のデジタル放送再送信装置では、各繰り返しデータ書き換え処理部１４０３、１４１３、１４２３、１４３３及び１４４３の出力側に各ＮＩＴ書き換え処理部１４０４、１４１４、１４２４、１４３４及び１４４４を配置しているが、本実施形態のデジタル放送再送信装置の構成はこれに限定されるものではない。例えば、各ＮＩＴ書き換え処理部１４０４、１４１４、１４２４、１４３４及び１４４４は、各繰り返しデータ抽出部１４０２、１４１２、１４２２、１４３２及び１４４２と各繰り返しデータ書き換え処理部１４０３、１４１３、１４２３、１４３３及び１４４３との間や、各繰り返しデータ抽出部１４０２、１４１２、１４２２、１４３２及び１４４２の入力側などに配置してもよい。
【０１４３】
また、ＢＳデジタル放送はＴＳパケットとして送信されるため、パケット単位で伝送の遅延が生じることやデータ構造などにより、本実施形態のデジタル放送再送信装置において、繰り返しデータの配信順序を完全に逆順にすることができない場合もあると考えられる。しかしながら、このような場合であっても、本実施形態によれば、デジタル放送受信装置における繰り返しデータの取得時間をある程度短縮することができる。
【０１４４】
以上、本発明のデジタル放送送受信システムについて、各実施形態を示して詳細に説明したが、本発明はこれらに限定されるものではない。例えば、各実施形態の説明において、本発明のシステムで取り扱う繰り返しデータの一例としてＥＩＴに対する処理について記述したが、これ以外のデジタル放送における繰り返しデータに関しても、上記した各実施形態の処理等を同様に適用することが可能である。
【０１４５】
また、上記各実施形態では、ＢＳデジタル伝送路とＣＡＴＶ伝送路のそれぞれにおいて同一のＢＳデジタル放送サービスが配信されている場合について示したが、複数の伝送路における同一のデジタル放送サービスの配信に関する本発明のシステムは、このような構成に限定されるものではない。例えば、１つのＢＳデジタル伝送路又はＣＡＴＶ伝送路内に周波数帯が異なる複数の伝送路が存在する場合には、これら複数の伝送路について本発明のシステムを適用することが可能である。
【０１４６】
図１７は、この場合の本発明のデジタル放送送受信システムの構成例を概略的に示す図である。図１７において、本システムにおいてＢＳデジタルを再送信するＣＡＴＶ局１７０２は、ＢＳデジタル伝送路１７０１に含まれる２つの伝送路からの放送を、それぞれ異なる再送信装置ａ１７０７及び再送信装置ｂ１７０８において受信する。これらの再送信装置では、上記した各実施形態に従って、放送に含まれる繰り返しデータに対して配信遅延や配信順序変更等の処理を行った後、両再送信装置からの出力信号を合成して、ＣＡＴＶ伝送路１７０３に再送信する。
【０１４７】
一方、この放送を受信するデジタル放送受信装置１７０４では、再送信装置ａ１７０７及び再送信装置ｂ１７０８からの放送信号を、それぞれＣＡＴＶ伝送路受信部ａ１７０５及びＣＡＴＶ伝送路受信部ｂ１７０６において受信する。
【０１４８】
このような構成により、図１７に示すデジタル放送受信装置１７０４においても、上記各実施形態同様にして、デジタル放送に含まれる繰り返しデータの取得時間の短縮という効果を奏することができる。
【０１４９】
その他、各装置の構成及び動作、信号処理、配信データの構造、並びに通信規格に関しては、当業者であれば、本発明の要旨を逸脱しない範囲内で様々な変更・修正・改良を加ることが可能である。
【０１５０】
【発明の効果】
以上、説明したように、本発明によれば、複数の伝送路から同一の放送サービスを受信可能なデジタル放送受信装置と、放送信号を他の伝送路へ再送信する際に、受信信号に含まれる繰り返しデータに対して、配信遅延処理又は配信順序の変更処理を行うデジタル放送再送信装置とを含んだデジタル放送送受信システムが提供される。
【０１５１】
これにより、デジタル放送受信装置において、繰り返しデータの取得時間を短縮することができる。尚、本発明システムによる繰り返しデータの取得時間短縮の効果は、最大で同一放送サービスが配信されている伝送路数分の１となる。
【図面の簡単な説明】
【図１】本発明の第１実施形態にかかるデジタル放送送受信システムの全体構成を概略的に示す図である。
【図２】デジタル放送受信装置１０４において遅延時間Δｔが生じる場合における各伝送路１０１及び１０３からの入力ストリームを示す図である。
【図３】デジタル放送受信装置１０４の内部構成を詳細に示す機能ブロック図である。
【図４】図３に示すデジタル放送受信装置の同一受信判定部３１１において行われる選局処理の手順を示すフローチャートである。
【図５】ＣＡＴＶ局１０２に設置されるデジタル放送再送信装置の内部構成を概略的に示す機能ブロック図である。
【図６】図１〜図５に示した本実施形態のデジタル放送送受信システムにおいて、所定の式により算出される遅延量０から３６０までの範囲での最適遅延量の値を示すグラフ図である。
【図７】本発明の第２実施形態にかかるデジタル放送再送信装置の内部構成を概略的に示す機能ブロック図である。
【図８】図７に示す各繰り返しデータ抽出部及び各繰り返しデータ書き換え処理部の内部構成を詳細に示す機能ブロック図である。
【図９】本発明の第３実施形態にかかるデジタル放送再送信装置の内部構成を概略的に示す機能ブロック図である。
【図１０】図９に示す各配信周期抽出部、各繰り返しデータ抽出部、各繰り返しデータ書き換え処理部及び各遅延量算出部の内部構成を詳細に示す機能ブロック図である。
【図１１】図１０に示すＢＩＴメモリ１００４において記憶されるＥＩＴの再送周期データの構成例を示す図である。
【図１２】図１１に示す遅延部及び遅延量算出部における一連の処理を示すフローチャートである。
【図１３】本発明の第４実施形態にかかるデジタル放送送受信システムにおいて、異なる２つの伝送路それぞれに配信される入力ストリームの構成例を示す図である。
【図１４】本発明の第４実施形態にかかるデジタル放送再送信装置の内部構成を概略的に示す機能ブロック図である。
【図１５】図１４に示す各繰り返しデータ抽出部、各繰り返しデータ書き換え処理部及び各逆順作成部の内部構成を詳細に示す機能ブロック図である。
【図１６】図１５に示す各繰り返しデータ抽出部及び各逆順作成部における一連の処理を示すフローチャートである。
【図１７】１つのＢＳデジタル伝送路内に存在する周波数帯が異なる複数の伝送路について適用するデジタル放送送受信システムの構成例を概略的に示す図である。
【図１８】ＢＳデジタル放送において、ＳＩに含めて配信されているＥＩＴ［ｐ／ｆ］及びＥＩＴ［ｓｃｈｅｄｕｌｅ］の再送周期の規定を示す表である。
【図１９】ＢＳデジタル放送において用いられるＴＳパケット及びセクションの構成を概略的に示す図である。
【図２０】ＪＣＴＥＡ  ＳＴＤ−００２  デジタル有線テレビジョン放送  多重化装置により規格化されている再送信の方式を模式的に示す図である。
【図２１】ＣＡＴＶ局においてＢＳデジタル放送信号をＣＡＴＶ伝送路に再送信するための変換を行う再送信装置の構成を概略的に示す図である。
【符号の説明】
１０１    ＢＳデジタル伝送路
１０２    ＣＡＴＶ局
１０３    ＣＡＴＶ伝送路
１０４    デジタル放送受信装置
１０５    ＣＡＴＶ伝送路受信部
１０６    ＢＳデジタル伝送路受信部
３０１    ＢＳデジタル伝送路
３０２，３０６    受信部
３０３，３０７    フロントエンド部
３０４，３０８    ＤＥＭＵＸ部
３０５    ＣＡＴＶ伝送路
３０９    ユーザ指示受信処理部
３１０    繰り返しデータ処理部
３１１    同一受信判定部
３１２    選局指示部
５０１，５１１，５２１，５３１，５４１    ＢＳ局用デジタルチューナ
５０２，５１２，５２２，５３２，５４２    遅延部
５０３，５１３，５２３，５３３，５４３    ＮＩＴ書き換え処理部
５０４，５２４    複数ＴＳ多重化部
５０５，５２５    ６４ＱＡＭ変調部
５０６            出力混合部
５５０    ＢＳデジタル伝送路
５６０    ＣＡＴＶ伝送路
７０１，７１１，７２１，７３１，７４１    ＢＳ局用デジタルチューナ
７０２，７１２，７２２，７３２，７４２    繰り返しデータ抽出部
７０３，７１３，７２３，７３３，７４３    繰り返しデータ書き換え処理部
７０４，７１４，７２４，７３４，７４４    ＮＩＴ書き換え処理部
７０５，７１５，７２５，７３５，７４５    遅延部
７０６，７２６    複数ＴＳ多重化部
７０７，７２７    ６４ＱＡＭ変調部
７０８    出力混合部
７５０    ＢＳデジタル伝送路
７６０    ＣＡＴＶ伝送路
８０１    ＤＥＭＵＸ部
８０２    ＰＩＤ検出部
８０３    スイッチ
８０４    遅延部
９０１，９１１，９２１，９３１，９４１    ＢＳ局用デジタルチューナ
９０２，９１２，９２２，９３２，９４２    配信周期抽出部
９０３，９１３，９２３，９３３，９４３    繰り返しデータ抽出部
９０４，９１４，９２４，９３４，９４４    繰り返しデータ書き換え処理部
９０５，９１５，９２５，９３５，９４５    ＮＩＴ書き換え処理部
９０６，９１６，９２６，９３６，９４６    遅延量算出部
９０７，９１７，９２７，９３７，９４７    遅延部
９０８，９２８    複数ＴＳ多重化部
９０９，９２９    ６４ＱＡＭ変調部
９１０    出力混合部
９５０    ＢＳデジタル伝送路
９６０    ＣＡＴＶ伝送路
１００１  ＤＥＭＵＸ部
１００２  多重化装置
１００３  ＥＩＴメモリ
１００４  ＢＩＴメモリ
１００５  ＮＩＴメモリ
１００６  タイマ
１００７  ＣＰＵ
１４０１，１４１１，１４２１，１４３１，１４４１  ＢＳ局用デジタルチューナ
１４０２，１４１２，１４２２，１４３２，１４４２  繰り返しデータ抽出部
１４０３，１４１３，１４２３，１４３３，１４４３  繰り返しデータ書き換え処理部
１４０４，１４１４，１４２４，１４３４，１４４４  ＮＩＴ書き換え処理部
１４０５，１４１５，１４２５，１４３５，１４４５  逆順作成部
１４０６，１４２６    複数ＴＳ多重化部
１４０７，１４２７    ６４ＱＡＭ変調部
１４０８  出力混合部
１４５０  ＢＳデジタル伝送路
１４６０  ＣＡＴＶ伝送路
１５０１  ＤＥＭＵＸ部
１５０２  多重化装置
１５０３  ＮＩＴメモリ
１５０４  ＥＩＴメモリ
１５０５  タイマ
１５０６  ＣＰＵ
１７０１  ＢＳデジタル伝送路
１７０２  ＣＡＴＶ局
１７０３  ＣＡＴＶ伝送路
１７０４  デジタル放送受信装置
１７０５  ＣＡＴＶ伝送路受信部ａ
１７０６  ＣＡＴＶ伝送路受信部ｂ
１７０７  デジタル放送再送信装置ａ
１７０８  デジタル放送再送信装置ｂ
２１０１，２１１１，２１２１，２１３１，２１４１  ＢＳ局用デジタルチューナ
２１０２，２１１２，２１２２，２１３２，２１４２  ＮＩＴ書き換え処理部
２１０３，２１２３    複数ＴＳ多重化部
２１０４，２１２４    ６４ＱＡＭ変調部
２１０５  出力混合部
２１５０  ＢＳデジタル伝送路
２１６０  ＣＡＴＶ伝送路
【図１】
2004260758.tif 000003
【図２】
2004260758.tif 000004
【図３】
2004260758.tif 000005
【図４】
2004260758.tif 000006
【図５】
2004260758.tif 000007
【図６】
2004260758.tif 000008
【図７】
2004260758.tif 000009
【図８】
2004260758.tif 000010
【図９】
2004260758.tif 000011
【図１０】
2004260758.tif 000012
【図１１】
2004260758.tif 000013
【図１２】
2004260758.tif 000014
【図１３】
2004260758.tif 000015
【図１４】
2004260758.tif 000016
【図１５】
2004260758.tif 000017
【図１６】
2004260758.tif 000018
【図１７】
2004260758.tif 000019
【図１８】
2004260758.tif 000020
【図１９】
2004260758.tif 000021
【図２０】
2004260758.tif 000022
【図２１】
2004260758.tif 000023